(57)【要約】  ユーザが操作に困惑している状態を判定し、困惑状態を容易に解消する撮影装置及びその制御方法並びに作動プログラムを提供する。  デジタルカメラ（１１）は、検出部（６１）と、操作履歴記憶部（６２）と、解析部（６３）と、判定部（６４）と、警告部（６５）とを備える。検出部（６１）は、ユーザの撮影操作と設定操作とをユーザ操作情報として検出する。設定操作は、撮影条件に関する設定項目について、第１設定項目の設定情報と、第１設定項目の設定情報に対して排他的に選択可能な第２設定項目の設定情報とを設定する操作である。解析部（６３）は、操作履歴記憶部（６２）に記憶された撮影操作履歴および設定操作履歴に基づき正常操作情報を取得する。判定部（６４）は、正常操作情報を取得した後、ユーザ操作情報と正常操作情報とが異なる場合に、ユーザが困惑状態であると判定する。警告部（６５）は、困惑状態と判定された場合に警告を行う。
2018150961.tif 000002
【特許請求の範囲】
【請求項１】
被写体像を撮影する撮影部と、
前記撮影部に撮影動作を行わせる撮影操作部と、
前記撮影部の撮影条件に関する設定項目について、第１設定項目の設定情報と、前記第１設定項目の設定情報に対して排他的に選択可能な第２設定項目の設定情報とを設定する設定操作部と、
前記撮影操作部に対するユーザの撮影操作と、前記設定操作部に対するユーザの設定操作とをユーザ操作情報として検出する検出部と、
前記撮影操作に関する履歴である撮影操作履歴と、前記撮影操作前に行われた前記設定操作に関する履歴である設定操作履歴とを記憶する操作履歴記憶部と、
前記撮影操作履歴および前記設定操作履歴に基づき、前記撮影操作部および前記設定操作部に対する正常時のユーザの操作を解析して正常操作情報を取得する解析部と、
前記正常操作情報を取得した後、前記ユーザ操作情報と前記正常操作情報とが異なる場合に、ユーザが操作に困惑している困惑状態であると判定する判定部と、
前記判定部により前記困惑状態と判定された場合に警告を行う警告部とを備える撮影装置。
【請求項２】
前記設定操作履歴は、前記第１設定項目および前記第２設定項目の少なくとも一方について、前記設定操作部によって設定された前記設定情報毎の設定回数であり、
前記解析部は、前記操作履歴記憶部に記憶された前記設定情報毎の設定回数に基づき、ユーザが設定する頻度の高い高頻度設定情報を前記正常操作情報として取得し、
前記判定部は、前記ユーザ操作情報に基づく設定情報が、前記高頻度設定情報と異なる場合、前記困惑状態であると判定する請求項１記載の撮影装置。
【請求項３】
前記設定操作履歴は、前記第１設定項目および前記第２設定項目の少なくとも一方についての設定操作が含まれる前記設定操作部による設定操作パターン毎の設定回数であり、
前記解析部は、前記操作履歴記憶部に記憶された前記設定操作パターン毎の設定回数に基づき、ユーザが前記設定操作を行う頻度の高い高頻度設定操作パターンを前記正常操作情報として取得し、
前記判定部は、前記ユーザ操作情報に基づく設定操作パターンが、高頻度設定操作パターンとは異なる場合、前記困惑状態であると判定する請求項１または２項記載の撮影装置。
【請求項４】
前記撮影操作履歴には、前記撮影操作が行われた撮影時刻が含まれ、
前記解析部は、前記操作履歴記憶部に記憶された前記撮影時刻に基づき、ユーザが撮影操作を行う基準撮影間隔を前記正常操作情報として取得し、
前記判定部は、前記基準撮影間隔と、前記ユーザ操作情報に基づく撮影間隔とを比較して前記困惑状態か否かを判定する請求項１〜３のいずれか１記載の撮影装置。
【請求項５】
前記判定部により前記困惑状態であると判定された場合には、判定の元となった前記ユーザ操作情報を前記設定操作履歴または前記撮影操作履歴として前記操作履歴記憶部に記憶せず、前記判定部により前記困惑状態ではないと判定された場合には、判定の元となった前記ユーザ操作情報を前記設定操作履歴または前記撮影操作履歴として前記操作履歴記憶部に記憶する請求項１〜４のいずれか１項記載の撮影装置。
【請求項６】
前記設定操作を行うための設定画面が表示される表示部を備え、
前記警告部は、前記表示部に警告表示を行う請求項１〜５のいずれか１項記載の撮影装置。
【請求項７】
被写体像を撮影する撮影部と、
前記撮影部に撮影動作を行わせる撮影操作部と、
前記撮影部の撮影条件に関する設定項目について、第１設定項目の設定情報と、前記第１設定項目の設定情報に対して排他的に選択可能な第２設定項目の設定情報とを設定する設定操作部と、
前記撮影操作部に対するユーザの撮影操作と、前記設定操作部に対するユーザの設定操作とをユーザ操作情報として検出する検出部と、
前記撮影操作に関する履歴である撮影操作履歴と、前記撮影操作前に行われた前記設定操作に関する履歴である設定操作履歴とを記憶する操作履歴記憶部と、
を備えた撮影装置の制御方法において、
前記撮影操作履歴および前記設定操作履歴に基づき、前記撮影操作部および前記設定操作部に対する正常時のユーザの操作を解析して正常操作情報を取得するステップと、
前記正常操作情報を取得した後、前記ユーザ操作情報と前記正常操作情報とが異なる場合に、ユーザが操作に困惑している困惑状態であると判定するステップと、
前記困惑状態と判定された場合に警告を行うステップとを含む撮影装置の制御方法。
【請求項８】
被写体像を撮影する撮影部と、
前記撮影部に撮影動作を行わせる撮影操作部と、
前記撮影部の撮影条件に関する設定項目について、第１設定項目の設定情報と、前記第１設定項目の設定情報に対して排他的に選択可能な第２設定項目の設定情報とを設定する設定操作部と、
前記撮影操作部に対するユーザの撮影操作と、前記設定操作部に対するユーザの設定操作とをユーザ操作情報として検出する検出部と、
前記撮影操作に関する履歴である撮影操作履歴と、前記撮影操作前に行われた前記設定操作に関する履歴である設定操作履歴とを記憶する操作履歴記憶部と、
を備えた撮影装置を作動させる作動プログラムにおいて、
前記撮影操作履歴および前記設定操作履歴に基づき、前記撮影操作部および前記設定操作部に対する正常時のユーザの操作を解析して正常操作情報を取得するステップと、
前記正常操作情報を取得した後、前記ユーザ操作情報と前記正常操作情報とが異なる場合に、ユーザが操作に困惑している困惑状態であると判定するステップと、
前記困惑状態と判定された場合に警告を行うステップと、
を制御部に実行させる作動プログラム。
【発明の詳細な説明】
【技術分野】
【０００１】
本発明は、撮影装置及びその制御方法並びに作動プログラムに関する。
【背景技術】
【０００２】
デジタルカメラ等の撮影装置には、高品質な画像を撮影するために、様々な撮影条件を設定可能としているものがある。このような撮影装置では、複数の撮影条件において、同時に設定することができない、いわゆる排他的関係にある設定情報が存在することが一般的である。【０００３】
特許文献１記載の撮影装置は、ダイナミックレンジ拡大撮影機能と露出調節機能とを有している。この撮影装置では、露出調節機能に関する撮影条件として複数のシャッタスピード、複数の絞り値、およびＡＵＴＯ（自動設定）などの設定情報から設定可能であり、かつダイナミックレンジ拡大撮影機能に関する撮影条件としてオン／オフの設定情報から設定可能である。しかし、これらの設定情報は排他的関係にあり、シャッタスピード、絞り値のいずれか１つを選択した場合、ダイナミックレンジ拡大撮影機能をオンとすることができない。あるいは、ダイナミックレンジ拡大撮影機能をオンとした場合、露出調節機能をＡＵＴＯ以外に設定することができない。【０００４】
また、排他的関係にある設定情報としては、上記の他には、シャッタ方式の設定情報と、連写速度の設定情報とが上げられる。例えばシャッタ方式として、電子シャッタ、メカシャッタなどの設定情報から設定可能とし、連写速度として複数の設定値から設定可能とする。そして、電子シャッタよりも低速なメカシャッタを選択した場合、連写速度として高速な設定値を選択することができない。【０００５】
一方、近年では、ユーザが操作に困惑している状態を検知する技術が知られている。特許文献２記載の情報処理装置では、ユーザの動きや様子を検知した検知信号を解析し、当該ユーザが操作を行っているときのユーザ操作状態を検出する。そして、検出したユーザ操作状態と、予め記憶された困惑状態情報とを照合し、ユーザが操作に困惑しているか否かを判定する。ユーザが困惑状態であると判定した場合には、ユーザに対して操作案内が提供される。
【先行技術文献】
【特許文献】
【０００６】
【特許文献１】特開２０１３−２１９４４０号公報
【特許文献２】特開２０１５−１５３３２５号公報
【発明の概要】
【発明が解決しようとする課題】
【０００７】
上述したように、排他的関係にある設定情報が存在する場合、ユーザが意図しない設定情報に制限されていることがある。例えば、撮影装置の電子シャッタが、順次読み出し方式のローリングシャッタである場合、高速な連写撮影を行うと、被写体像が歪むローリングシャッタ現象が発生することがある。そこで、ユーザが、シャッタ方式を電子シャッタからメカシャッタに変更した場合、上述したように、連写速度が低速な設定値に制限される。【０００８】
ユーザは高速な連写撮影を行っているつもりが、連写速度が低速に制限されてしまっているため、操作に困惑してしまう。さらに、連写速度を高速に戻そうとしても、原因を特定することができず、撮影機会を逃してしまう可能性がある。【０００９】
上記特許文献１記載の撮影装置では、ユーザの操作状態とは関係無く、排他的関係にある設定情報が設定された場合に警告を行う。なお、上記特許文献２記載の技術を上記特許文献１記載の撮影装置に適応し、ユーザの困惑状態を検知した場合に、排他的関係にある設定情報が設定されていることの警告を含む操作案内を提供することが考えられる。しかし、この場合においても、設定に不慣れなユーザは、提供された操作案内から、排他的関係にある設定情報を容易に特定することができず、撮影機会を逃してしまう可能性がある。【００１０】
本発明は、ユーザが操作に困惑している状態を判定し、困惑状態を容易に解消する撮影装置及びその制御方法並びに作動プログラムを提供することを目的とする。
【課題を解決するための手段】
【００１１】
上記目的を達成するため、本発明の撮影装置は、撮影部と、撮影操作部と、設定操作部と、検出部と、操作履歴記憶部と、解析部と、判定部と、警告部とを備える。撮影部は、被写体像を撮影する。撮影操作部は、撮影部に撮影動作を行わせる。設定操作部は、撮影部の撮影条件に関する設定項目について、第１設定項目の設定情報と、第１設定項目の設定情報に対して排他的に選択可能な第２設定項目の設定情報とを設定する。検出部は、撮影操作部に対するユーザの撮影操作と、設定操作部に対するユーザの設定操作とをユーザ操作情報として検出する。操作履歴記憶部は、撮影操作に関する履歴である撮影操作履歴と、撮影操作前に行われた設定操作に関する履歴である設定操作履歴とを記憶する。解析部は、撮影操作履歴および設定操作履歴に基づき、撮影操作部および設定操作部に対する正常時のユーザの操作を解析して正常操作情報を取得する。判定部は、正常操作情報を取得した後、ユーザ操作情報と正常操作情報とが異なる場合に、ユーザが操作に困惑している困惑状態であると判定する。警告部は、判定部により困惑状態と判定された場合に警告を行う。【００１２】
設定操作履歴は、第１設定項目および第２設定項目の少なくとも一方について、設定操作部によって設定された設定情報毎の設定回数であり、解析部は、操作履歴記憶部に記憶された設定情報毎の設定回数に基づき、ユーザが設定する頻度の高い高頻度設定情報を正常操作情報として取得し、判定部は、ユーザ操作情報に基づく設定情報が、高頻度設定情報と異なる場合、困惑状態であると判定することが好ましい。【００１３】
設定操作履歴は、第１設定項目および第２設定項目の少なくとも一方についての設定操作が含まれる設定操作部による設定操作パターン毎の設定回数であり、解析部は、操作履歴記憶部に記憶された設定操作パターン毎の設定回数に基づき、ユーザが設定操作を行う頻度の高い高頻度設定操作パターンを正常操作情報として取得し、判定部は、ユーザ操作情報に基づく設定操作パターンが、高頻度設定操作パターンとは異なる場合、困惑状態であると判定することが好ましい。【００１４】
撮影操作履歴には、撮影操作が行われた撮影時刻が含まれ、解析部は、操作履歴記憶部に記憶された撮影時刻に基づき、ユーザが撮影操作を行う基準撮影間隔を正常操作情報として取得し、判定部は、基準撮影間隔と、ユーザ操作情報に基づく撮影間隔とを比較して困惑状態か否かを判定することが好ましい。【００１５】
判定部により困惑状態であると判定された場合には、判定の元となったユーザ操作情報を設定操作履歴または撮影操作履歴として操作履歴記憶部に記憶せず、判定部により困惑状態ではないと判定された場合には、判定の元となったユーザ操作情報を設定操作履歴または撮影操作履歴として操作履歴記憶部に記憶することが好ましい。【００１６】
設定操作を行うための設定画面が表示される表示部を備え、警告部は、表示部に警告表示を行うことが好ましい。【００１７】
本発明の撮影装置の制御方法は、被写体像を撮影する撮影部と、撮影部に撮影動作を行わせる撮影操作部と、撮影部の撮影条件に関する設定項目について、第１設定項目の設定情報と、第１設定項目の設定情報に対して排他的に選択可能な第２設定項目の設定情報とを設定する設定操作部と、撮影操作部に対するユーザの撮影操作と、設定操作部に対するユーザの設定操作とをユーザ操作情報として検出する検出部と、撮影操作に関する履歴である撮影操作履歴と、撮影操作前に行われた設定操作に関する履歴である設定操作履歴とを記憶する操作履歴記憶部と、を備えた撮影装置の制御方法において、撮影操作履歴および設定操作履歴に基づき、撮影操作部および設定操作部に対する正常時のユーザの操作を解析して正常操作情報を取得するステップと、正常操作情報を取得した後、ユーザ操作情報と正常操作情報とが異なる場合に、ユーザが操作に困惑している困惑状態であると判定するステップと、困惑状態と判定された場合に警告を行うステップとを含む。【００１８】
本発明の撮影装置を作動させる作動プログラムは、被写体像を撮影する撮影部と、撮影部に撮影動作を行わせる撮影操作部と、撮影部の撮影条件に関する設定項目について、第１設定項目の設定情報と、第１設定項目の設定情報に対して排他的に選択可能な第２設定項目の設定情報とを設定する設定操作部と、撮影操作部に対するユーザの撮影操作と、設定操作部に対するユーザの設定操作とをユーザ操作情報として検出する検出部と、撮影操作に関する履歴である撮影操作履歴と、撮影操作前に行われた設定操作に関する履歴である設定操作履歴とを記憶する操作履歴記憶部と、を備えた撮影装置を作動させる作動プログラムにおいて、撮影操作履歴および設定操作履歴に基づき、撮影操作部および設定操作部に対する正常時のユーザの操作を解析して正常操作情報を取得するステップと、正常操作情報を取得した後、ユーザ操作情報と正常操作情報とが異なる場合に、ユーザが操作に困惑している困惑状態であると判定するステップと、困惑状態と判定された場合に警告を行うステップと、を制御部に実行させる。
【発明の効果】
【００１９】
本発明によれば、ユーザが操作に困惑している状態を判定し、困惑状態を容易に解消することができる。
【図面の簡単な説明】
【００２０】
【図１】デジタルカメラの外観を正面側から示す斜視図である。
【図２】デジタルカメラの外観を背面側から示す斜視図である。
【図３】デジタルカメラの構成を示すブロック図である。
【図４】設定メニューの一例を示す設定画面の説明図である。
【図５】設定メニューでシャッタ方式の設定情報が設定済みの状態の設定画面の説明図である。
【図６】設定メニューでフラッシュモードの設定情報が設定済みの状態の設定画面の説明図である。
【図７】シャッタ方式の設定情報が変更されるとともに、フラッシュモードの設定情報をシャッタ方式の設定情報に応じた設定情報に変更した場合の設定画面の一例を示す説明図である。
【図８】主制御部の構成を示すブロック図である。
【図９】起動操作から終了操作までの間に、検出部により検出される撮影操作及び設定操作の一例を示す説明図である。
【図１０】操作履歴記憶部に記憶された撮影操作履歴の一例を示す説明図である。
【図１１】操作履歴記憶部に記憶された設定操作履歴の一例を示す説明図である。
【図１２】正常操作情報を取得する方法を説明する説明図である。
【図１３】困惑状態を判定する方法を説明する説明図である。
【図１４】困惑状態であると判定された場合に行われる警告の一例を示す説明図である。
【図１５】デジタルカメラの作用を説明するフローチャートである。
【図１６】困惑状態ではないと判定された場合に、その判定の元となったユーザ操作情報を撮影操作履歴又は設定操作履歴として記憶する方法を説明する説明図である。
【発明を実施するための形態】
【００２１】
［第１実施形態］
図１および図２において、撮影装置としてのデジタルカメラ１１は、カメラ本体１２と、レンズ鏡筒１３と、背面表示部１４と、ファインダ部１５とを備える。
【００２２】
レンズ鏡筒１３は、カメラ本体１２の前面に設けられており、撮像光学系１６を保持している。レンズ鏡筒１３の外周には、フォーカスリング１７及び絞りリング１８を回転自在に設けられている。フォーカスリング１７及び絞りリング１８は、撮影者が手動で回転操作することにより、撮像光学系１６のフォーカス調節及び絞り調節をそれぞれ可能とする。
【００２３】
背面表示部１４は、カメラ本体１２の背面に設けられており、ライブビュー画像の表示、撮影済み画像の再生、および設定メニューの表示などに用いられる。背面表示部１４は、例えばＬＣＤパネルで構成されている。この背面表示部１４の表面には、タッチパネル２７（図３参照）が取り付けられている。タッチパネル２７からの入力指示は、主制御部４１に送信される。タッチパネル２７は、各種設定操作などに用いられる。
【００２４】
カメラ本体１２の上面には、電源レバー１９と、レリーズスイッチ２０と、露出補正ダイヤル２１と、シャッタスピードダイヤル２２等が設けられている。カメラ本体１２の前面には、ファインダ切替レバー２３とフラッシュ発光部２４等が設けられている。カメラ本体１２の背面には、複数の操作ボタン２６が設けられている。複数の操作ボタン２６は、各種設定操作などに用いられる。
【００２５】
電源レバー１９は、デジタルカメラ１１の電源（図示せず）をオン／オフする際に操作される。レリーズスイッチ２０は、撮影を実行する際に操作される。シャッタスピードダイヤル２２は、デジタルカメラ１１のシャッタ速度を切り替える際に操作される。
【００２６】
レリーズスイッチ２０は、Ｓ１スイッチとＳ２スイッチとで構成された２段ストローク式のスイッチ（図示せず）を有する。レリーズスイッチ２０が押下（半押し）され、Ｓ１スイッチがオン状態となると、後述する撮影部により自動露出調節等の撮影準備動作が行われる。この状態からさらにレリーズスイッチ２０が押下（全押し）され、Ｓ２スイッチがオン状態となると、撮影部により撮影動作が行われる。このレリーズスイッチ２０は、撮影部に撮影動作を行わせる撮影操作部として機能する。以下、レリーズスイッチ２０に対するユーザの操作を撮影操作という。
【００２７】
また、カメラ本体１２の底部には、後述する記録メディア５１（図３参照）を装着するためのスロット（図示せず）と、このスロットの開口を開閉する装填蓋（図示せず）とが設けられている。
【００２８】
ファインダ部１５は、光学ビューファインダ（以下、ＯＶＦという）モードと、電子ビューファインダ（以下、ＥＶＦという）モードとの切り替えが可能なハイブリッド型である。ファインダ切替レバー２３は、ファインダ部１５を、ＯＶＦモードとＥＶＦモードとの間で切り替える際に操作される。
【００２９】
ファインダ部１５は、被写体の光学像を取り込むファインダ対物窓１５ａと、撮影者の眼が接眼されるファインダ接眼部１５ｂとを有している。ファインダ対物窓１５ａは、カメラ本体１２の前面側に設けられている。ファインダ接眼部１５ｂは、カメラ本体１２の背面側に設けられている。
【００３０】
ファインダ部１５は、ファインダ内表示部２８（図３参照）と、ハーフミラー（図示せず）などを備えている。ファインダ内表示部２８は、被写体の光学像を撮像素子３４で撮像して得られた被写体の画像を表示する。ファインダ対物窓１５ａには、被写体の光学像が入射する。ハーフミラーは、ファインダ対物窓１５ａに入射した光学像を一部透過させてファインダ接眼部１５ｂに導き、ファインダ内表示部２８が表示した表示画像を一部反射させてファインダ接眼部１５ｂに導く。
【００３１】
また、ファインダ部１５は、ファインダ対物窓１５ａに入射する光学像を遮蔽するシャッタ（以下、ＯＶＦシャッタという）を有している。ＯＶＦモードでは、ＯＶＦシャッタを開状態とし、ファインダ内表示部２８を非表示とさせることで、光学像をファインダ接眼部１５ｂに導く。ＥＶＦモードでは、ＯＶＦシャッタを閉状態とし、ファインダ内表示部２８を表示とさせることで、表示画像をファインダ接眼部１５ｂに導く。
【００３２】
図３において、撮像光学系１６は、フォーカスレンズ３１を含む複数のレンズ、絞りユニット３２などを備える。撮像光学系１６の背後には、撮像光学系１６の光軸ＬＡに沿って、シャッタユニット３３、撮像素子３４が配される。撮像素子３４は、カメラ本体１２の内部に設けられている。
【００３３】
フォーカスレンズ３１は、モータ３６の駆動により光軸ＬＡの方向に移動し、撮影距離を調節する。主制御部４１は、図示しない検出部の信号に基づき検出したフォーカスリング１７の回転方向及び回転量に応じてフォーカスレンズ３１を移動させる制御信号をモータドライバ３９に送信する。モータドライバ３９は、制御信号に基づいてモータ３６を駆動させる。
【００３４】
絞りユニット３２は、モータ３７の駆動により複数枚の絞り羽根３２ａを移動させ、撮像素子３４への入射光量を変化させる。撮像素子３４には、撮像光学系１６を通過し、絞り３０により光量が調整された被写体の光学像が入射する。主制御部４１は、図示しないセンサの信号に基づき検出した絞りリング１８の角度位置に応じて絞り羽根３２ａを移動させる制御信号をモータドライバ３９に送信する。モータドライバ３９は、制御信号に基づいてモータ３７を駆動させる。
【００３５】
シャッタユニット３３は、フォーカルプレーンシャッタなどのメカシャッタであり、絞りユニット３２と撮像素子３４との間に配置されている。シャッタユニット３３は、撮像光学系１６と撮像素子３４との間の光路を遮断可能に設けられており、開口状態と閉口状態との間で変化する。
【００３６】
シャッタユニット３３は、ライブビュー画像および動画撮影時に開口状態とされる。シャッタユニット３３は、静止画撮影時には、開口状態から一時的に閉口状態になる。このシャッタユニット３３は、モータ３８により駆動される。主制御部４１は、後述するシャッタ方式の設定情報に応じてシャッタユニット３３を動作させる制御信号をモータドライバ３９に送信する。モータドライバ３９は、制御信号に基づいてモータ３８を駆動させる。
【００３７】
撮像素子３４は、主制御部４１により駆動制御される。撮像素子３４は、シャッタユニット３３とデジタル信号処理部４５などとともに撮影部を構成する。また、フラッシュ発光部２４を用いるフラッシュ撮影の場合は、フラッシュ発光部２４も撮影部を構成する。撮像素子３４は、例えば、ＲＧＢ方式のカラーフィルタを有する単板カラー撮像方式のＣＭＯＳ型イメージセンサである。撮像素子３４は、２次元マトリクス状に配列された複数の画素（図示せず）により構成された受光面を有している。各画素は、光電変換素子を含んでおり、撮像光学系１６により受光面に結像された被写体像を光電変換により撮像して撮像信号を生成する。また、撮像素子３４は、電子シャッタ機能を有しており、シャッタ速度（電荷蓄積時間）が調整可能である。本実施形態において、電子シャッタのシャッタ方式は、ローリングシャッタ方式である。ローリングシャッタ方式では、撮像素子３４は、順次読み出し方式により信号読み出しが実行される。順次読み出し方式では、全画素について、先頭画素行から最終画素行まで、１画素行ずつ順に信号読み出しが行われる。
【００３８】
撮像素子３４は、ノイズ除去回路と、オートゲインコントローラと、Ａ／Ｄ変換回路等の信号処理回路（いずれも図示せず）とを備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３４から出力する。撮像素子３４の出力信号は、画素ごとに１つの画素値を有する画像データ（いわゆるＲＡＷデータ）である。
【００３９】
撮像素子３４及び主制御部４１は、バス４２に接続されている。この他、バス４２には、メモリ制御部４４と、デジタル信号処理部４５と、メディア制御部４６と、表示制御部４７と、レリーズスイッチ２０と、操作ボタン２６と、タッチパネル２７などが接続されている。
【００４０】
メモリ制御部４４には、ＳＤＲＡＭ等の一時記憶用のメモリ４９が接続されている。メモリ制御部４４は、撮像素子３４から出力された画像データをメモリ４９に入力して記憶させる。また、メモリ制御部４４は、メモリ４９に記憶された画像データを、デジタル信号処理部４５に出力する。
【００４１】
デジタル信号処理部４５は、メモリ４９から入力された画像データに対して、マトリクス演算、デモザイク処理、γ補正、輝度・色差変換、およびリサイズ処理などの公知の画像処理を施し、各画素の画素値に基づいて、被写体画像を生成する。
【００４２】
メディア制御部４６は、記録メディア５１への画像ファイルの記録及び読み出しを制御する。記録メディア５１は、例えば、フラッシュメモリを内蔵したメモリカードである。メディア制御部４６は、デジタル信号処理部４５によって圧縮された画像データを記録メディア５１に記録する。
【００４３】
表示制御部４７は、背面表示部１４およびファインダ内表示部２８への画像表示を制御する。具体的には、表示制御部４７は、デジタル信号処理部４５により生成された画像データに基づいて、ＮＴＳＣ規格等に準拠した映像信号を生成して背面表示部１４およびファインダ内表示部２８に出力する。
【００４４】
操作ボタン２６又はタッチパネル２７の操作により設定モードが選択された場合、主制御部４１は、表示制御部４７を駆動制御して背面表示部１４に設定メニューを表示させる。この設定メニューは、デジタルカメラ１１の撮影部の撮影条件に関する設定項目を設定可能とする。設定メニューには、複数の設定項目が表示される。設定モードが選択された場合、操作ボタン２６およびタッチパネル２７は、撮影部の撮影条件に関する設定情報を設定する設定操作部として機能する。なお、この例ではタッチパネル２７の操作により上記設定情報の設定が行われる。以下、タッチパネル２７に対するユーザの操作を設定操作という。背面表示部１４は、設定操作を行うための設定画面が表示される表示部として機能する。
【００４５】
図４は、背面表示部１４に表示される設定メニューの一例である。この設定メニューＭでは、画質モード、シャッタ方式、フラッシュモード、撮影モード、ＩＳＯ感度、ダイナミックレンジ設定などの複数の設定項目が表示される。タッチパネル２７が操作されることにより、複数の設定項目から１つの設定項目が選択される。
【００４６】
画質モードの設定項目では、例えば、「ＦＩＮＥ」と「ＮＯＲＭＡＬ」と「ＲＡＷ」などの選択候補が一覧表示される。「ＦＩＮＥ」は、「ＮＯＲＭＡＬ」よりもデータの圧縮率が低い画像を取得する高画質のモードである。「ＲＡＷ」は、データを圧縮せずに画像を記録するため、ＦＩＮＥよりもさらに高画質のモードである。画質モードの設定情報は、タッチパネル２７が操作されることにより上記選択候補一覧から選択される。
【００４７】
シャッタ方式の設定項目では、例えば、「ＭＳ」と「ＥＳ」と「ＭＳ＋ＥＳ」などの選択候補が一覧表示される。「ＭＳ」は、シャッタユニット３３によるメカシャッタで撮影を行う。「ＥＳ」は、電子シャッタで撮影を行う。「ＭＳ＋ＥＳ」は、メカシャッタと電子シャッタのうち、例えば、シャッタスピードに適した一方が自動的に選択された状態で撮影を行う。シャッタ方式の設定情報は、タッチパネル２７が操作されることにより上記選択候補一覧から選択される。
【００４８】
フラッシュモードの設定項目では、例えば、「ＡＵＴＯ」と「強制発光」と「スローシンクロ」と「後幕シンクロ」と「発光禁止」などの選択候補が一覧表示される。「ＡＵＴＯ」は、図示しない測光センサにより被写体が暗いと判断した場合にフラッシュ発光部２４が自動的に発光する。「強制発光」は、周囲の明るさに関わらず、強制的にフラッシュ発光部２４が発光する。「スローシンクロ」は、シャッタスピードを遅く、且つシャッタにフラッシュ発光部２４を同期させて発光する。「後幕シンクロ」は、シャッタが閉じる直前にフラッシュ発光部２４を発光させる。「発光禁止」は、周囲の明るさに関わらず、フラッシュ発光部２４を発光させない。フラッシュモードの設定情報は、タッチパネル２７が操作されることにより上記選択候補一覧から選択される。
【００４９】
撮影モードの設定項目では、例えば、「１コマ撮影」と「連写撮影」と「ブラケット撮影」などの選択候補が一覧表示される。「１コマ撮影」は、レリーズスイッチ２０を１回全押しする毎に、１フレーム分の撮影および記録を行う。「連写撮影」は、レリーズスイッチ２０を全押しし続けている間、連写速度に応じたフレーム数で連続して撮影を行い、撮影された複数フレーム分の画像を記録する。「ブラケット撮影」は、レリーズスイッチ２０を１回全押しする毎に、例えば露出値などの設定値を変えながら、複数フレーム分の撮影を行い、撮影された複数フレーム分の画像を記録する。撮影モードの設定情報は、タッチパネル２７が操作されることにより上記選択候補一覧から選択される。
【００５０】
ＩＳＯ感度の設定項目では、例えば、「ＡＵＴＯ」と「２００」と「２５０」と「３２０」と「４００」と「８００」と「１６００」と「３２００」と「６４００」と「１２８００」と「２５６００」などの選択候補が一覧表示される。「ＡＵＴＯ」は、所定のＩＳＯ感度以下の範囲内で撮像素子３４の感度が自動的に調節される。「ＡＵＴＯ」を除く、「２００」〜「２５６００」の数値を選択すると、選択した数値に合わせて撮像素子３４の感度が調節される。ＩＳＯ感度の設定情報は、タッチパネル２７が操作されることにより上記選択候補一覧から選択される。
【００５１】
ダイナミックレンジ設定の設定項目では、例えば、「ＡＵＴＯ」と「１００」と「２００」と「４００」などの選択候補が一覧表示される。「ＡＵＴＯ」は、撮像素子３４のサイズに応じた基準のダイナミックレンジの画像を取得する撮影と、基準のダイナミックレンジよりも拡大したダイナミックレンジの画像を取得する撮影とのいずれかを、被写体の明るさなどに応じて自動的に選択して撮影が行われる。「１００」は、撮像素子３４の基準のダイナミックレンジ、すなわち１００％のダイナミックレンジの画像を取得する撮影が行われる。「２００」は、撮像素子３４の基準のダイナミックレンジの２００％に拡大したダイナミックレンジの画像を取得する撮影が行われる。「４００」は、撮像素子３４の基準のダイナミックレンジの４００％に拡大したダイナミックレンジの画像を取得する撮影が行われる。ダイナミックレンジ設定の設定情報は、タッチパネル２７が操作されることにより上記選択候補一覧から選択される。なお、拡大したダイナミックレンジの画像は、例えば特開２０１３−３１２０５号公報などに記載されている手法により取得することができる。具体的には、異なる露光条件で撮像を行なって、高輝度側の情報量が多い画像と低輝度側の情報量が多い画像等、輝度毎の情報量が異なる複数枚の画像データを取得してこれらを合成することにより、高輝度から低輝度まで広い範囲で良好な再現性を有するダイナミックレンジ拡大画像データを取得する。
【００５２】
なお、設定メニューＭは、例えば複数ページから構成され、各ページに複数の設定項目が表示される。また、この場合、タッチパネル２７により設定メニューＭのページを切り換えることができる。
【００５３】
撮影部の撮影条件に関する複数の設定項目のなかには、第１設定項目の設定情報に対して排他的に選択可能な第２設定項目の設定情報がある場合がある。なお、排他的に選択可能とは、第１設定項目において１つの設定情報を選択した場合に、第２設定項目で選択可能な設定情報が制限されることをいう。
【００５４】
このような排他的関係にある設定情報の一例としては、シャッタ方式の設定情報とフラッシュモードの設定情報とがある。
【００５５】
シャッタ方式の設定情報とフラッシュモードの設定情報との排他的関係について、図５〜図７を参照しながら説明をする。図５は、図４に示す設定メニューＭでシャッタ方式の設定情報が設定された後、すなわち設定済みの状態の設定画面の一例を示す。この例ではシャッタ方式が「ＭＳ」に設定されている。図５において、二重線で囲まれた表示は、設定済みの状態であることを示す。
【００５６】
図６に示すように、フラッシュモードでは、上記シャッタ方式の設定情報として「ＭＳ」が設定された場合には、「ＡＵＴＯ」と「強制発光」と「スローシンクロ」と「後幕シンクロ」と「発光禁止」とが設定情報として選択可能とされている。図６は、設定メニューＭでフラッシュモードの設定情報が設定済みの状態の設定画面の一例を示しており、この例ではフラッシュモードが「ＡＵＴＯ」に設定されている。図６において、二重線で囲まれた表示は、設定済みの状態であることを示す。
【００５７】
図７に示すように、シャッタ方式の設定情報が「ＭＳ」から例えば「ＥＳ」に変更された場合、主制御部４１は、フラッシュモードの選択候補のうち「ＡＵＴＯ」と「強制発光」と「スローシンクロ」と「後幕シンクロ」とを選択不可能とし、フラッシュモードの設定情報を「発光禁止」に変更する。これは、ローリングシャッタ方式の電子シャッタでは露光および信号読み出しのタイミングが画素行ごとにずれていることから、フラッシュ発光部２４を用いてフラッシュ撮影を行った場合は、取得した画像の明るさが、画像内において部分的に異なってしまう（例えば、画像の上部が明るく、下部が暗くなる）ためである。
【００５８】
また、主制御部４１は、選択不可能とする選択候補を特殊表示形態（図７において網掛け表示された部分）で表示させる。なお、図７に示す例では、図示の都合上、選択不可能とする選択候補を網掛け表示で表しているが、これに限るものではなく、選択不可能とする選択候補を、他の選択候補とは異なる色、例えばグレーで表示してもよい。
【００５９】
上記排他的関係にある設定情報は、上述したシャッタ方式の設定情報とフラッシュモードの設定情報との他にもあり、例えば、撮影モードの設定情報とフラッシュモードの設定情報とが該当する。具体的には、撮影モードの設定情報として「連写撮影」が選択された場合、フラッシュモードでは、設定情報として「発光禁止」のみが選択可能とされ、「ＡＵＴＯ」と「強制発光」と「スローシンクロ」と「後幕シンクロ」とはいずれも選択不可能とされる。これは、撮影モードが「連写撮影」に設定されている場合は、撮像素子３４による１フレーム分の電荷蓄積時間が短く、フラッシュ発光部２４の発光が間に合わない、すなわち、フラッシュ撮影を行うことが不可能なためである。
【００６０】
また、ＩＳＯ感度の設定情報とダイナミックレンジ設定の設定情報も排他的関係にある。具体的には、ＩＳＯ感度の設定情報として「２００」と「２５０」と「３２０」とのうちいずれか１つが選択された場合、ダイナミックレンジ設定では、設定情報として「１００」のみが選択可能とされ、「ＡＵＴＯ」と「２００」と「４００」とはいずれも選択不可能とされる。これは、ＩＳＯ感度が「２００」と「２５０」と「３２０」という低感度の設定とされている場合は、撮影部では、高輝度から低輝度まで広い範囲の情報量の画像を得ることができない、すなわち、拡大したダイナミックレンジの画像を取得することが不可能なためである。
【００６１】
上述したように、第１設定項目の設定情報に対して排他的に選択可能な第２設定項目の設定情報がある場合、第２設定項目の設定情報は、主制御部４１により第１設定項目に応じた設定情報に変更されているため、ユーザが所望していない設定情報に変更されていることがある。主制御部４１によりユーザが所望していない設定情報に変更されている場合、ユーザは何故このような設定情報に変更されたのかがわからず、困惑状態となる可能性が高い。困惑状態とは、どのように操作してよいのかわからない、操作がうろ覚え、あるいは、間違った操作を行うなど、操作がうまくいかず困っている状態をいう。そこで、主制御部４１は、ユーザの困惑状態を判断し、その困惑状態を解消する操作支援を行う機能を有する。
【００６２】
図８に示すように、主制御部４１は、検出部６１と、操作履歴記憶部６２と、解析部６３と、判定部６４と、警告部６５とを有する。この主制御部４１は、特許請求の範囲に記載の制御部に対応する。
【００６３】
検出部６１は、撮影操作部に対するユーザの撮影操作と、設定操作部に対するユーザの設定操作とをユーザ操作情報として検出する。検出部６１により検出される設定操作は、上記排他的関係にある設定情報を設定する操作とされている。例えば、上記のように、シャッタ方式の設定情報として「ＥＳ」を設定する操作と撮影モードの設定情報として「連写撮影」を設定する操作等である。検出部６１は、デジタルカメラ１１の電源をオンとする起動操作が行われてから電源をオフとする終了操作が行われるまでの間、ユーザ操作情報の検出を行う。
【００６４】
図９は、起動操作Ｅonが行われた時刻ｔ0から終了操作Ｅoffが行われた時刻ｔnまでの間に、検出部６１により検出される撮影操作及び設定操作の一例を示している。図９において、ＲAとＲBとは撮影操作を示し、ＣA、ＣB、ＣC、ＣDは設定操作を示している。設定操作ＣA〜ＣDは、互いに異なる設定操作である。
【００６５】
この例では、時刻ｔ0から撮影操作ＲAが検出された時刻ｔ3までの期間において、時刻ｔ1に設定操作ＣAが検出され、その後の時刻ｔ2に設定操作ＣBが検出されている。時刻ｔ3から撮影操作ＲBが検出された時刻ｔ7までの期間において、時刻ｔ4〜ｔ6に、設定操作ＣA、ＣC、ＣDがこの順番でそれぞれ検出されている。また、検出部６１は、時刻ｔ7から時刻ｔnまでの期間に行われた撮影操作及び設定操作もユーザ操作情報として検出する。なお、検出部６１により撮影操作が検出された時刻（撮影時刻）は、主制御部４１の時計機能により求められる。
【００６６】
ＩAは、起動操作Ｅonから撮影操作ＲAまでの撮影間隔を示し、ＩBは、撮影操作ＲAから撮影操作ＲBまでの撮影間隔を示している。撮影間隔は、検出部６１により撮影操作が検出される毎に、各撮影操作が行われた撮影時刻に基づき主制御部４１により計測される。この例では、ＩA＝ｔ3−ｔ0であり、ＩB＝ｔ7−ｔ3である。主制御部４１により計測された撮影間隔は、ユーザ操作情報に基づく撮影間隔として後述する判定部６４に入力される。
【００６７】
ＳA、ＳB、ＳC、ＳDは、設定操作ＣA、ＣB、ＣC、ＣDによってそれぞれ設定される設定情報を示している。設定情報は、検出部６１により設定操作が検出される毎に、各設定操作に基づき主制御部４１により取得される。主制御部４１により取得された設定情報は、ユーザ操作情報に基づく設定情報として後述する判定部６４に入力される。
【００６８】
ＰA、ＰBは、撮影操作が行われる毎に主制御部４１により求められる設定操作パターンを示している。パターンとは、現在の撮影操作と直前の撮影操作との間（以下、撮影操作間と称する）において、設定操作により設定された設定情報とその順番のことをいう。なお、現在の撮影操作が起動操作後の最初の撮影操作であった場合については、現在の撮影操作と起動操作との間を撮影操作間という。主制御部４１により求められた設定操作パターンは、ユーザ操作情報に基づく設定操作パターンとして後述する判定部６４に入力される。この例では、設定操作パターンＰAは設定情報ＳA、ＳBの順番とされており、設定操作パターンＰBは設定情報ＳA、ＳC、ＳDの順番とされている。
【００６９】
操作履歴記憶部６２は、撮影操作に関する履歴である撮影操作履歴と、撮影操作前に行われた設定操作に関する履歴である設定操作履歴とを記憶する。本実施形態では、検出部６１により撮影操作及び設定操作が検出される毎に、検出された撮影操作に関する撮影操作履歴と、検出された設定操作に関する設定操作履歴とを、主制御部４１により記憶させる。操作履歴記憶部６２は、撮影操作履歴を記憶する撮影操作履歴記憶領域６７と、設定操作履歴を記憶する設定操作履歴記憶領域６８とを有する（図８参照）。
【００７０】
図１０は、撮影操作履歴記憶領域６７に記憶された撮影操作履歴７１の一例を示している。撮影操作履歴７１には、撮影操作が行われた撮影時刻が含まれている。図１０において、Ｒcは、時刻ｔ7よりも後の時刻ｔ9に検出された撮影操作を示しており、ＲDは、時刻ｔ9よりも後の時刻ｔ12に検出された撮影操作を示している。なお、この例では、時刻ｔ7と時刻ｔ9との間の時刻ｔ8にいずれかの設定操作が行われ、時刻ｔ9と時刻ｔ12との間の時刻ｔ10、ｔ11にいずれかの設定操作がそれぞれ行われていることを示している。本実施形態では、検出部６１により撮影操作が検出される毎に、検出された撮影操作の撮影時刻が撮影操作履歴として記憶される。
【００７１】
図１１は、設定操作履歴記憶領域６８に記憶された設定操作履歴の一例を示している。本実施形態では、設定操作履歴記憶領域６８に、設定情報に関する設定情報履歴７２と、設定操作パターンに関する設定操作パターン履歴７３とが、設定操作履歴として記憶される。
【００７２】
設定操作履歴としての設定情報履歴７２は、第１設定項目および第２設定項目の少なくとも一方について、設定操作部に対する設定操作によって設定された設定情報毎の設定回数である。各設定情報の設定回数は、検出部６１により設定操作が検出される毎に加算される累積回数である。なお、図１１では、各設定情報の設定回数を降順に示しており、設定情報ＳAの設定回数ＭAが最も多く、設定情報ＳB、ＳC、ＳDの順に、それぞれの設定回数ＭB、ＭC、ＭD、・・・、ＭXが少なくなることを示している。例えば、ＭAが「１００」、ＭBが「８０」、ＭCが「６０」、ＭDが「５０」、ＭXが「１」である。
【００７３】
設定操作履歴としての設定操作パターン履歴７３は、第１設定項目および第２設定項目の少なくとも一方についての設定操作が含まれる設定操作部による設定操作パターン毎の設定回数である。各設定操作パターンの設定回数は、主制御部４１により設定操作パターンが求められる毎に加算される累積回数である。なお、図１１では、各設定操作パターンの設定回数を降順に示しており、設定操作パターンＰAの設定回数ＮAが最も多く、以降は設定操作パターンＰB、・・・、ＰXの順に、各設定操作パターンの設定回数ＮB、・・・、ＮXが少なくなることを示している。例えば、ＮAが「３０」、ＮBが「２０」、ＮXが「１」である。なお、設定操作パターンＰｘは、設定情報ＳD、ＳB、ＳA、ＳCの順番とされている。
【００７４】
解析部６３は、操作履歴記憶部６２に記憶された撮影操作履歴および設定操作履歴に基づき、撮影操作部および設定操作部に対する正常時のユーザの操作を解析して正常操作情報を取得する。以下、解析部６３により正常操作情報を取得する方法について説明する。
【００７５】
図１２に示すように、解析部６３により正常操作情報を取得する方法は、操作履歴記憶部６２から撮影操作履歴及び設定操作履歴を読み出すステップ（ステップＳ１１）と、読み出した撮影操作履歴及び設定操作履歴に基づく解析を行うステップ（ステップＳ１２）と、解析結果に基づき正常操作情報を取得するステップ（ステップＳ１３）とを含む。
【００７６】
ステップＳ１１では、解析部６３は、撮影操作履歴記憶領域６７から撮影操作毎の撮影時刻を撮影操作履歴として読み出し、設定操作履歴記憶領域６８から設定情報毎の設定回数と設定操作パターン毎の設定回数とを設定操作履歴として読み出す。
【００７７】
ステップＳ１２では、解析部６３は、操作履歴記憶部６２から読み出した履歴毎に解析を行う。例えば、解析部６３は、設定情報毎の設定回数を読み出した場合、この設定情報毎の設定回数に基づき、ユーザが設定する頻度の高い高頻度設定情報を求める。高頻度とは、総計に占める設定回数の割合が所定の閾値以上であることを言う。例えば、各設定情報の設定回数の総計が「５００」であり、所定の閾値が７％であり、設定回数ＭAが「１００」、設定回数ＭBが「８０」、設定回数ＭCが「６０」、設定回数ＭDが「５０」、設定回数ＭXが「１」であった場合は、解析部６３により、上記総計に占める設定回数ＭB、ＭC、ＭDの各割合は７％以上であり、設定回数ＭXの割合は７％未満であると求められる。このため、解析部６３は、設定情報ＳA、ＳB、ＳC、ＳDを高頻度設定情報とする。
【００７８】
また、解析部６３は、設定操作パターン毎の設定回数を読み出した場合、この設定操作パターン毎の設定回数に基づき、ユーザが設定操作を行う頻度が高い高頻度設定操作パターンを求める。例えば、各設定操作パターンの設定回数の総計が「１００」であり、所定の閾値が７％であり、設定回数ＮAが「３０」、設定回数ＮBが「２０」、設定回数ＮXが「１」であった場合は、解析部６３により、上記総計に占める設定回数ＮA、ＮBの各割合は７％以上であり、設定回数ＮXの割合は７％未満であると求められる。このため、解析部６３は、設定操作パターンＰA、ＰBを高頻度設定操作パターンとする。
【００７９】
また、解析部６３は、撮影操作毎の撮影時刻を読み出した場合、この撮影操作毎の撮影時刻に基づき、ユーザが撮影操作を行う基準撮影間隔を求める。基準撮影間隔は、例えば、撮影操作が行われる毎に主制御部４１により計測される撮影間隔の平均値である。
【００８０】
ステップＳ１３では、解析部６３は、解析結果毎に正常操作情報の取得を行う。具体的には、解析部６３は、上記解析により高頻度設定情報が求められた場合は、この高頻度設定情報を正常操作情報として取得する。また、解析部６３は、上記解析により高頻度設定操作パターンが求められた場合は、この高頻度設定操作パターンを正常操作情報として取得する。また、上記解析により解析部６３は、基準撮影間隔が求められた場合は、この基準撮影間隔を正常操作情報として取得する。
【００８１】
判定部６４は、解析部６３により正常操作情報が取得された後、ユーザ操作情報と正常操作情報とが異なる場合に、ユーザが操作に困惑している困惑状態であると判定する。以下、判定部６４により困惑状態を判定する方法について説明する。
【００８２】
図１３に示すように、判定部６４により困惑状態を判定する方法は、検出部６１からユーザ操作情報を取得するステップ（ステップＳ２１）と、解析部６３から正常操作情報を取得するステップ（ステップＳ２２）と、ユーザ操作情報と正常操作情報とが異なるか否か比較するステップ（ステップＳ２３）と、ユーザが操作に困惑している困惑状態を判定するステップ（ステップＳ２４）とを含む。
【００８３】
ステップＳ２１において、本実施形態では、判定部６４は、ユーザ操作情報に基づく撮影間隔と、ユーザ操作情報に基づく設定情報と、ユーザ操作情報に基づく設定操作パターンとを、主制御部４１からそれぞれ取得する。
【００８４】
ステップＳ２２において、本実施形態では、判定部６４は、正常操作情報として、高頻度設定情報と、高頻度設定操作パターンと、基準撮影間隔とを、解析部６３からそれぞれ取得する。
【００８５】
ステップＳ２３では、判定部６４は、取得されたユーザ操作情報毎に比較を行う。例えば、ユーザ操作情報に基づく撮影間隔が取得された場合、判定部６４は、このユーザ操作情報に基づく撮影間隔と、正常操作情報として取得された基準撮影間隔とを比較する。また、ユーザ操作情報に基づく設定情報が取得された場合、判定部６４は、このユーザ操作情報に基づく設定情報と、正常操作情報として取得された高頻度設定情報とを比較する。また、ユーザ操作情報に基づく設定操作パターンが取得された場合、判定部６４は、このユーザ操作情報に基づく設定操作パターンと、正常操作情報として取得された高頻度設定操作パターンとを比較する。
【００８６】
ステップＳ２４では、判定部６４は、取得されたユーザ操作情報毎に判定を行う。例えば、ユーザ操作情報に基づく撮影間隔が取得された場合、判定部６４は、基準撮影間隔に対する、ユーザ操作情報に基づく撮影間隔の割合が、所定の閾値以上である場合に困惑状態であると判定する。この場合の閾値としては、例えば１０％である。上記割合が閾値以上である場合は、ユーザにより撮影操作が行われない又はユーザが撮影操作を行うまでに時間がかかっている状況である。また、ユーザ操作情報に基づく設定情報が取得された場合、判定部６４は、ユーザ操作情報に基づく設定情報が、高頻度設定情報と異なる場合に困惑状態であると判定する。また、ユーザ操作情報に基づく設定操作パターンが取得された場合、判定部６４は、ユーザ操作情報に基づく設定操作パターンが、高頻度設定操作パターンと異なる場合も困惑状態であると判定する。判定部６４は、困惑状態であると判定した場合に、ユーザが困惑状態であることを警告部６４に通知する通知信号を生成し、警告部６４に出力する。
【００８７】
警告部６５は、判定部６４により困惑状態と判定された場合に警告を行う。この警告は、例えば、困惑状態を解消するための操作をユーザに促す内容とされている。警告部６５は、判定部６４から通知信号が入力された場合に、例えば、表示部としての背面表示部１４に警告表示を行う。図１４は、設定メニューＭでシャッタ方式の設定情報が「ＭＳ」から「ＥＳ」に変更された場合に行われる警告表示の一例を示している。図１４では、設定画面の右下に警告表示領域７５が表示されており、この警告表示領域７５に「フラッシュを使用する場合はシャッタ方式を「ＭＳ」に変更して下さい。」という警告表示が行われている。なお、上記警告表示に限らず、音声の出力により警告を行っても良い。
【００８８】
以上のように構成されたデジタルカメラ１１の作用について、図１５に示すフローチャートに沿って説明する。デジタルカメラ１１は、ユーザにより電源レバー１９が操作され電源がオンとされ（ステップＳ４１）、撮影操作と設定操作とが可能となり、検出部６１により、ユーザ操作情報として撮影操作及び設定操作の検出が行われる（ステップＳ４２）。
【００８９】
主制御部４１は、検出部６１により検出された撮影操作を撮影操作履歴とし、設定操作を設定操作履歴として、操作履歴記憶部６２に記憶させる（ステップＳ４３）。
【００９０】
解析部６３は、操作履歴記憶部６２に記憶された撮影操作履歴および設定操作履歴に基づき、正常操作情報を取得する（ステップＳ４４）。具体的には、解析部６３は、正常操作情報として、基準撮影間隔と、高頻度設定情報と、高頻度設定操作パターンとを取得する。
【００９１】
解析部６３により正常操作情報が取得された後、判定部６４は、ユーザが操作に困惑している困惑状態であるか否かの判定を行う。具体的には、判定部６４は、まず、基準撮影間隔と、ユーザ操作情報に基づく撮影間隔とが異なるか否かの比較を行う（ステップＳ４５）。
【００９２】
上記各撮影間隔が異なる場合（ステップＳ４５でＹ）、判定部６４は、ユーザ操作情報に基づく設定情報が高頻度設定情報と異なるか否かの比較を行う（ステップＳ４６）。上記各設定情報が異なる場合（ステップＳ４６でＹ）、普段とは異なる撮影間隔で撮影操作が行われ、かつ、使用頻度が少ない設定情報に設定されており、ユーザが操作に困惑している可能性がある。このため、判定部６４は、上記各設定情報が異なる場合にユーザが困惑状態であると判定する（ステップＳ４７）。
【００９３】
判定部６４により困惑状態であると判定された場合、警告部６５は、困惑状態を解消するための操作を促す等の警告を行う（ステップＳ４８）。具体的には、警告部６５は、背面表示部１４に警告表示を行う。その後、電源がオフとされない場合は（ステップＳ５０でＮ）上記ステップＳ４２に戻る。
【００９４】
一方、ユーザ操作情報に基づく設定情報が高頻度設定情報と同じである場合（ステップＳ４６でＮ）、判定部６４は、ユーザが困惑状態ではないと判定する。この場合は、上記警告が行われず、ステップＳ５０に進む。
【００９５】
また、ステップＳ４５において、基準撮影間隔と、ユーザ操作情報に基づく撮影間隔とが同じである場合（ステップＳ４５でＮ）、判定部６４は、ユーザ操作情報に基づく設定操作パターンが高頻度設定操作パターンと異なるか否かの比較を行う（ステップＳ４９）。上記各設定操作パターンが異なる場合（ステップＳ４９でＹ）、普段通りの撮影間隔で撮影操作が行われているものの、使用頻度が少ない設定操作パターンで撮影が行われており、ユーザが操作に困惑している可能性がある。このため、判定部６４は、ユーザが困惑状態であると判定する（ステップＳ４７）。判定部６４により困惑状態であると判定された場合は、ステップＳ４８に進み警告が行われる。一方、判定部６４によりユーザが困惑状態ではないと判定された場合は（ステップＳ４９でＮ）、上記警告が行われず、ステップＳ５０に進む。
【００９６】
以上のように、本実施形態では、操作履歴記憶部に記憶された撮影操作履歴及び設定操作履歴に基づき正常時のユーザの操作を解析して正常操作情報を取得し、ユーザにより行われた撮影操作及び設定操作が上記正常操作情報と異なる場合に、ユーザが操作に困惑している困惑状態であると判定し、警告を行うことにより困惑状態を容易に解消することができる。
【００９７】
なお、上記実施形態では、判定部６４により、基準撮影間隔と高頻度設定情報と高頻度設定操作パターンとに基づき困惑状態の判定が行われているが、これに限らず、基準撮影間隔と高頻度設定情報と高頻度設定操作パターンとのうち、少なくともいずれか１つに基づき判定を行っても良い。例えば、基準撮影間隔と、ユーザ操作情報に基づく撮影間隔とが異なる場合は、ユーザにより撮影操作が行われない又はユーザが撮影操作を行うまでに時間がかかっている状況であるから、判定部６４は困惑状態であると判定する。また、ユーザ操作情報に基づく設定情報が高頻度設定情報と異なる場合は、使用頻度が少ない設定情報に設定された状況であるから、判定部６４は困惑状態であると判定する。ユーザ操作情報に基づく設定操作パターンが高頻度設定操作パターンと異なる場合は、使用頻度が少ない設定操作パターンに設定された状況であるから、判定部６４は困惑状態であると判定する。なお、基準撮影間隔と高頻度設定情報と高頻度設定操作パターンとのうち、２つを組み合わせて判定を行っても良い。
【００９８】
［第２実施形態］
上記第１実施形態では、検出部６１によりユーザ操作情報が検出される毎に、撮影操作履歴と設定操作履歴とを操作履歴記憶部６２に記憶させる例を挙げているが、これに限るものではなく、以下に説明する第２実施形態では、判定部６４により困惑状態ではないと判定された場合に、その判定の元となったユーザ操作情報を撮影操作履歴又は設定操作履歴として記憶させる。すなわち、主制御部４１により、操作履歴記憶部６２に記憶された撮影操作履歴と設定操作履歴とを更新する。
【００９９】
具体的には、図１６に示すように、判定部６４は、検出部６１により検出されたユーザ操作情報、すなわち、判定の元となったユーザ操作情報が、解析部６３により取得された正常操作情報と同じである場合（ステップＳ２３でＮ）、ユーザが困惑状態ではないと判定する。主制御部４１は、判定の元となったユーザ操作情報としての撮影操作及び設定操作に基づき、操作履歴記憶部６２を更新する（ステップＳ５１）。換言すると、主制御部４１は、困惑状態ではないとの判定の元となったユーザ操作情報を設定操作履歴または撮影操作履歴として操作履歴記憶部６２に記憶させる。
【０１００】
例えば、主制御部４１は、上記撮影操作が行われた撮影時刻を計測し、計測した撮影時刻を撮影操作履歴記憶領域６７に記憶済みの撮影操作履歴７１に追加する。また、主制御部４１は、設定操作履歴記憶領域６８に記憶済みの設定情報履歴７２に対し、上記設定操作により設定された設定情報の設定回数を加算する。また、主制御部４１は、上記設定操作により設定された設定情報が含まれる設定操作パターンを求め、設定操作履歴記憶領域６８に記憶済みの設定操作パターン履歴７３に対し、求めた設定操作パターンの設定回数を加算する。
【０１０１】
一方、判定部６４により困惑状態であると判定された場合（ステップＳ２４）、主制御部４１は、操作履歴記憶部６２を更新せずに、判定の元となったユーザ操作情報を消去する（ステップＳ５２）。換言すると、主制御部４１は、困惑状態であるとの判定の元となったユーザ操作情報を設定操作履歴または撮影操作履歴として操作履歴記憶部６２に記憶させない。
【０１０２】
以上のように、困惑状態であるとの判定の元となったユーザ操作情報を設定操作履歴または撮影操作履歴として操作履歴記憶部６２に記憶させず、困惑状態ではないとの判定の元となったユーザ操作情報を設定操作履歴または撮影操作履歴として操作履歴記憶部６２に記憶させることにより、操作履歴記憶部６２には正常時のユーザの操作履歴が記憶されるため、困惑状態を判定する精度がより向上する。
【０１０３】
上記各実施形態では、タッチパネル２７の操作により各設定情報の設定が行われる例を挙げているが、これに限らず、操作ボタン２６と露出補正ダイヤル２１とシャッタスピードダイヤル２２等の操作により各種設定情報の設定が行われるようにしても良い。
【０１０４】
なお、上記各実施形態では、操作履歴記憶部６２に記憶された撮影操作履歴および設定操作履歴は、タッチパネル２７等の操作によってリセットされるようにしても良い。また、デジタルカメラ１１の工場出荷時点で、製品試験等から得られた撮影操作および設定操作のサンプルデータを、撮影操作履歴および設定操作履歴として操作履歴記憶部６２に予め記憶させておいても良い。
【０１０５】
上記各実施形態では、撮像素子３４は、ＣＭＯＳ型イメージセンサであるが、ＣＣＤ型イメージセンサであってもよい。また、上記各実施形態では、ファインダ部をハイブリッドビューファインダとしているが、電子ビューファインダとしてもよい。また、上記各実施形態では、内蔵型のフラッシュ発光部を用いているが、外付けのフラッシュ装置を用いてもよい。
【０１０６】
また、本発明は、レンズ鏡筒とカメラ本体とが一体化された一体型の撮影装置でも、レンズ鏡筒とカメラ本体とが着脱可能なレンズ交換型の撮影装置でも適用可能である。
【０１０７】
また、解析部６３と判定部６４と警告部６５との各機能を実行するためのコンピュータプログラム（作動プログラム）を主制御部４１のＲＯＭ（図示せず）に格納しておき、このコンピュータプログラムに基づき主制御部４１に各機能を実行させるようにしても良い。
【０１０８】
また、本発明は、デジタルカメラに限られず、その他、デジタルビデオカメラ、携帯電話、スマートフォン、タブレット端末などに含まれる撮影装置にも適用可能である。
【符号の説明】
【０１０９】
１１  デジタルカメラ
１２  カメラ本体
１３  レンズ鏡筒
１４  背面表示部
１５  ファインダ部
１５ａ  ファインダ対物窓
１５ｂ  ファインダ接眼部
１６  撮像光学系
１７  フォーカスリング
１８  絞りリング
１９  電源レバー
２０  レリーズスイッチ
２１  露出補正ダイヤル
２２  シャッタスピードダイヤル
２３  ファインダ切替レバー
２４  フラッシュ発光部
２６  操作ボタン
２７  タッチパネル
２８  ファインダ内表示部
３１  フォーカスレンズ
３２  絞りユニット
３２ａ  絞り羽根
３３  シャッタユニット
３４  撮像素子
３６，３７，３８  モータ
３９  モータドライバ
４１  主制御部
４２  バス
４４  メモリ制御部
４５  デジタル信号処理部
４６  メディア制御部
４７  表示制御部
４８  設定情報記憶部
４９  メモリ
５１  記録メディア
６１  検出部
６２  操作履歴記憶部
６３  解析部
６４  判定部
６５  警告部
６７  撮影操作履歴記憶領域
６８  設定操作履歴記憶領域
７１  撮影操作履歴
７２  設定情報履歴
７３  設定操作パターン履歴
７５  警告表示領域
【図１】
2018150961.tif 000003
【図２】
2018150961.tif 000004
【図３】
2018150961.tif 000005
【図４】
2018150961.tif 000006
【図５】
2018150961.tif 000007
【図６】
2018150961.tif 000008
【図７】
2018150961.tif 000009
【図８】
2018150961.tif 000010
【図９】
2018150961.tif 000011
【図１０】
2018150961.tif 000012
【図１１】
2018150961.tif 000013
【図１２】
2018150961.tif 000014
【図１３】
2018150961.tif 000015
【図１４】
2018150961.tif 000016
【図１５】
2018150961.tif 000017
【図１６】
2018150961.tif 000018
【国際調査報告】
2018150961.tif 000019
2018150961.tif 000020